(57)【要約】      （修正有）【課題】手軽に状態変化を楽しむことが可能な模型玩具及び加熱調理玩具を提供する。【解決手段】模型玩具は、第一載置部７１と該第一載置部７１の反対側に第二載置部７２とを設けたトレイ７の被支持部を支持するトレイ支持体と、トレイ支持体を第一軸線Ａ周りに回動自在に支持するとともに、該第一軸線Ａ方向側に開口部を形成した筐体３と、筐体３に対して第二軸線Ｂ周りに回動自在に支持されて、開口部に設けられた扉８と、トレイ支持体の回動を操作する操作部と、を備える。扉８は、第二軸線Ｂに対して対称位置に本体部及び被規制部８２を有する。トレイ支持体は、第一角度姿勢と、該第一角度姿勢から反転した第二角度姿勢との間の中間角度範囲において、被規制部８２に近接することにより扉８の開動作を規制して、扉８を閉状態に支持する。【選択図】図７
2020198911.tif 000002
【特許請求の範囲】
【請求項１】
第一載置部と該第一載置部の反対側に第二載置部とを設けたトレイの被支持部を支持するトレイ支持体と、
前記トレイ支持体を第一軸線周りに回動自在に支持するとともに、該第一軸線方向側に開口部を形成した筐体と、
前記筐体に対して第二軸線周りに回動自在に支持されて、前記開口部に設けられた扉と、
前記トレイ支持体の回動を操作する操作部と、
を備え、
前記扉は、前記第二軸線に対して対称位置に本体部及び被規制部を有し、
前記トレイ支持体は、第一角度姿勢と、該第一角度姿勢から反転した第二角度姿勢との間の中間角度範囲において、前記被規制部に近接することにより前記扉の開動作を規制して、前記扉を閉状態に支持する、
ことを特徴とする模型玩具。
【請求項２】
前記トレイ支持体は、前記第一軸線方向に延設されるとともに、前記第一軸線に対して線対称位置に配置された第一支持部と第二支持部とを有し、
前記第一支持部及び前記第二支持部は、前記被支持部を収容させる溝部を内側に有し、前記トレイの揺動を規制する揺動規制突起を前記溝部の両外側に有する、
ことを特徴とする請求項１に記載の模型玩具。
【請求項３】
前記第一支持部及び前記第二支持部は、前記溝部とは反対側の両外側に開状態支持部を有し、
前記扉は、前記第一角度姿勢及び前記第二角度姿勢において、前記被規制部と前記開状態支持部との当接により開角度が規制されて、開状態に支持され、
前記第一角度姿勢及び前記第二角度姿勢において、開状態の前記扉の前記開口部側の内面と、前記開状態支持部とは、同一平面状に形成され、
前記被支持部から、前記トレイの前記第一載置部又は前記第二載置部側の端部までの長さと、前記溝部の内壁から、前記開状態支持部までの長さとが、同じである、
ことを特徴とする請求項２に記載の模型玩具。
【請求項４】
前記トレイは、
前記第一載置部及び前記第二載置部に、底板と、前記底板を囲う枠部とを備え、
前記第一載置部側の前記底板には変化前の第一形象体を配置可能であり、前記第二載置部側の前記底板には変化後の第二形象体が固定される、
ことを特徴とする請求項１乃至請求項３の何れかに記載の模型玩具。
【請求項５】
第一載置部と該第一載置部の反対側に第二載置部とを設けたトレイの被支持部を支持するトレイ支持体と、
前記トレイ支持体を第一軸線周りに回動自在に支持するとともに、該第一軸線方向側に開口部を形成した筐体と、
前記筐体に対して第二軸線周りに回動自在に支持されて、前記開口部に設けられた扉と、
前記トレイ支持体の回動を操作する操作部と、
を備え、
前記扉は、前記第二軸線に対して対称位置に本体部及び被規制部を有し、
前記トレイ支持体は、第一角度姿勢と、該第一角度姿勢から反転した第二角度姿勢との間の中間角度範囲において、前記被規制部に近接することにより前記扉の開動作を規制して、前記扉を閉状態に支持し、
前記第一載置部側には調理前の第一形象体が配置され、前記第二載置部側には調理後の第二形象体が配置される、
ことを特徴とする加熱調理玩具。
【発明の詳細な説明】
【技術分野】
【０００１】
本発明は、模型玩具及び加熱調理玩具に関する。
【背景技術】
【０００２】
従来から、キッチン用品を模した模型玩具が提供されている。例えば、特許文献１の玩具セットにおいて、ベース材と膨張剤とを混合した中間材を投入可能な模擬オーブンが開示されている。中間材は模擬パンの生地として作成された後に模擬オーブンに投入されると、２０分後に約１．２倍の厚さに膨む。そして、模擬パンには乾燥後に油性剤を塗布することで焼き入りを模した色が付されることが記載されている。
【先行技術文献】
【特許文献】
【０００３】
【特許文献１】特開２０１８−１６４４９２号
【発明の概要】
【発明が解決しようとする課題】
【０００４】
しかしながら特許文献１の模型玩具では、模擬パンの投入から調理を終えるまでに時間が掛かり調理前後の状態変化を手軽に楽しむことが難しかった。
【０００５】
本発明は、手軽に状態変化を楽しむことが可能な模型玩具及び加熱調理玩具を提供することを目的とする。
【課題を解決するための手段】
【０００６】
本発明の一つの態様に係る模型玩具は、第一載置部と該第一載置部の反対側に第二載置部とを設けたトレイの被支持部を支持するトレイ支持体と、前記トレイ支持体を第一軸線周りに回動自在に支持するとともに、該第一軸線方向側に開口部を形成した筐体と、前記筐体に対して第二軸線周りに回動自在に支持されて、前記開口部に設けられた扉と、前記トレイ支持体の回動を操作する操作部と、を備え、前記扉は、前記第二軸線に対して対称位置に本体部及び被規制部を有し、前記トレイ支持体は、第一角度姿勢と、該第一角度姿勢から反転した第二角度姿勢との間の中間角度範囲において、前記被規制部に近接することにより前記扉の開動作を規制して、前記扉を閉状態に支持する、ことを特徴とする。
【０００７】
本発明の他の態様に係る加熱調理玩具は、第一載置部と該第一載置部の反対側に第二載置部とを設けたトレイの被支持部を支持するトレイ支持体と、前記トレイ支持体を第一軸線周りに回動自在に支持するとともに、該第一軸線方向側に開口部を形成した筐体と、前記筐体に対して第二軸線周りに回動自在に支持されて、前記開口部に設けられた扉と、前記トレイ支持体の回動を操作する操作部と、を備え、前記扉は、前記第二軸線に対して対称位置に本体部及び被規制部を有し、前記トレイ支持体は、第一角度姿勢と、該第一角度姿勢から反転した第二角度姿勢との間の中間角度範囲において、前記被規制部に近接することにより前記扉の開動作を規制して、前記扉を閉状態に支持し、前記第一載置部側には調理前の第一形象体が配置され、前記第二載置部側には調理後の第二形象体が配置される、ことを特徴とする。
【発明の効果】
【０００８】
上記の態様によれば、手軽に状態変化を楽しむことが可能な模型玩具及び加熱調理玩具を提供することができる。
【図面の簡単な説明】
【０００９】
【図１】本発明の実施形態に係る加熱調理玩具の斜視図であり、（ａ）は扉を閉じた状態を示し、（ｂ）は扉を開けた状態を示す。
【図２】本発明の実施形態に係る加熱調理玩具のトレイを省略した正面側から見た分解斜視図である。
【図３】本発明の実施形態に係る加熱料理玩具のトレイを省略した背面側から見た分解斜視図である。
【図４】本発明の実施形態に係るトレイ支持体を示す図である。
【図５】本発明の実施形態に係るトレイの斜視図であり、（ａ）は第一載置面側を示し、（ｂ）は第二載置面側を示す。
【図６】本発明の実施形態に係る加熱調理玩具の扉を含む第二筐体を除いた状態の正面図である。
【図７】本発明の実施形態に係る図１（ａ）に示した加熱調理玩具のＶＩＩ−ＶＩＩ断面図である。
【図８】本発明の実施形態に係る加熱調理玩具の動作を示す図であり、（ａ）はトレイ支持体が回動中の状態を示し、（ｂ）はトレイ支持体の回動を終えた第二角度姿勢を示す。
【発明を実施するための形態】
【００１０】
次に、図に基づいて、本発明の実施形態を説明する。図１（ａ）及び図１（ｂ）は、それぞれ扉８を閉じた状態及び扉８を開けた状態の加熱調理玩具１の斜視図である。加熱調理玩具１は窯を模して形成される。加熱調理玩具１は、調理前のパン、ピザ等の食品を模した第一形象体Ｆｄ１を配置させた面（表面）を上方にしてトレイ７を内部に収容させて、扉８を閉めた後に操作部４を回動させると、トレイ７が反転して調理後の食品を模した第二形象体Ｆｄ２を配置させた反対側の面（裏面）が上方になり、調理を模擬して楽しむことができる玩具である。以下の説明では、加熱調理玩具１の扉８側を前、その反対側を後ろとし、加熱調理玩具１の正面側から見た左側を左、その反対側を右とする。
【００１１】
加熱調理玩具１は、略直方体状に形成され、背面及び上下左右の側面を形成する第一筐体２と、前面を形成する第二筐体３とを有する。第二筐体３には、開口部３１が設けられる。開口部３１には片開き開閉が可能な扉８が設けられる。扉８は、開口部３１の下端側における左右内縁おいて、第二筐体３に対して回動軸８３（第二軸線Ｂ）により回動自在に支持される（図２も参照）。
【００１２】
開口部３１内には、図１（ｂ）に示すように、第一形象体Ｆｄ１を載せたトレイ７を前方側から挿入して収容させることができる。第二筐体３の開口部３１の右下側には、回動可能に配置された操作部４が設けられる。
【００１３】
図２及び図３は、それぞれ加熱調理玩具１の正面側及び背面側から見た分解斜視図である。加熱調理玩具１は、内部に操作部４と接続される伝達機構５と、伝達機構５により回動可能なトレイ支持体６とが収容される。トレイ支持体６内には図１（ｂ）に示したトレイ７を収容することができる。また、扉８は、トレイ支持体６の前方側において第二筐体３に形成された開口部３１に設けられる。
【００１４】
第一筐体２の内部には、各々略短円筒状に形成された、外側の枠部２１，２２及び内側の枠部２３，２４が配置される。枠部２１内には、トレイ支持体６の円板部６１が収容される。３箇所の枠部２２〜２４内には、平歯車（後述の駆動歯車５１１、中間歯車５２及び従動歯車６１１）が収容される。各平歯車の歯合位置に相当する枠部２２〜２４の側面の一部は、連通するように切り欠かれている。
【００１５】
枠部２２及び枠部２３には、伝達機構５に含まれる駆動軸５１の駆動歯車５１１と、この駆動歯車５１１と歯合する中間歯車５２とがそれぞれ収容される。駆動歯車５１１及び中間歯車５２は、各枠部２２,２３内に設けられた図示しない軸部に回動可能に支持される。また、枠部２４内には、トレイ支持体６に形成された従動歯車６１１が収容される。従動歯車６１１は、枠部２４内に設けられた軸部２４１により支持される。これにより、第一筐体２は、トレイ支持体６を、軸部２４１と同軸の第一軸線Ａ周りに回動自在に支持することができる。また、駆動軸５１の前端は、操作部４と接続される。従って、駆動軸５１は、操作部４の回動操作により回動する。
【００１６】
第一筐体２には、片持ち板ばね状に固定された回動規制部材２５が設けられる。回動規制部材２５は、枠部２１の外側面に沿って円弧状に形成される。枠部２１には、切欠部２１１が設けられる。回動規制部材２５は、自由端側の先端における切欠部２１１側に突起部２５１を有している。突起部２５１は、切欠部２１１内に配置されて枠部２１の内側に突出することができる（図６も参照）。
【００１７】
また、枠部２１と枠部２４との間には、枠部２３から延設された回動規制部２６１,２６２が形成される。回動規制部２６１，２６２の先端は、第一軸線Ａ周りの同心円上における略対称位置に配置される。
【００１８】
第二筐体３は、板状に形成されて、第一軸線Ａ方向の前方側に略矩形状の開口部３１を有する。また、図３に示すように、第二筐体３の後方には、開口部３１の上側及び下側から後方へ立設する上枠部３２及び下枠部３３が形成される。上枠部３２及び下枠部３３は、凹湾曲筒状に形成される。開口部３１の下方には、扉８が閉じた状態において被規制部８２を収容する矩形状の収容部３５が形成される。
【００１９】
トレイ支持体６は、円板部６１と、円板部６１の前方側に形成された枠部６２とを有する。また、図３に示すように、円板部６１の後面には、従動歯車６１１と、板状の突起部６１２が形成される。円板部６１の外周縁には、後方側に延設された短円筒状の縁部６１３が形成される。縁部６１３の外周面には、凹円弧状に窪んだ窪み部６１３ａが２箇所に形成される。窪み部６１３ａは、第一軸線Ａに対して線対称位置（すなわち第一軸線Ａに対して１８０度回転させた対称位置）に配置される。
【００２０】
図４に示すトレイ支持体６において、枠部６２は、円板部６１側を底部とした有底の略四角筒状に形成される。枠部６２の上下に位置する長尺側面部６２ａは、上下外側に突出する湾曲面状に形成される。枠部６２の左右に位置する平板状の短尺側面部６２ｂの各内面には、トレイ７を支持する支持部６３（第一支持部６３ａ，第二支持部６３ｂ）が対向して形成される。第一支持部６３ａと第二支持部６３ｂは、第一軸線Ａに対して線対称となるように形成される。また、第一支持部６３ａと第二支持部６３ｂは、第一軸線Ａ方向に略同断面形状で延設される。第一支持部６３ａ及び第二支持部６３ｂは、後述するトレイ７の被支持部７５を収容させる溝部６３２を図４の上下方向における内側に有し、トレイ７の揺動を規制する揺動規制突起６３１を溝部６３２の両側に有している。溝部６３２は、凹矩形状に第一軸線Ａ方向に延設される。
【００２１】
揺動規制突起６３１は、トレイ支持体６の正面視において短尺側面部６２ｂの内面から第一軸線Ａ側へ立設している。また、揺動規制突起６３１は、溝部６３２と同様に、第一軸線Ａ方向に延設される。揺動規制突起６３１の長尺側面部６２ａ側の両外側には、開状態の扉８と当接する開状態支持部６３１ｃが形成される。揺動規制突起６３１の頂部６３１ａは、トレイ７の側面７ａと当接してトレイ７の過剰な揺動（左右の動き）を規制する。また、揺動規制突起６３１には、頂部６３１ａから溝部６３２に亘って平坦面状の傾斜部６３１ｂが形成される。
【００２２】
枠部６２内には、第一支持部６３ａから第二支持部６３ｂに亘って配置された平板状の奥側支持部６４が形成される。奥側支持部６４の両端は、揺動規制突起６３１と長尺側面部６２ａ側において隣接している。従って、奥側支持部６４の第一軸線Ａ側の内面６４ａと、揺動規制突起６３１の開状態支持部６３１ｃとは、略同一平面状に形成配置される。
【００２３】
トレイ支持体６は、長尺側面部６２ａと支持部６３との間の枠部６２内に空間Ｓを有している。空間Ｓは、扉８が開く際に、被規制部８２の逃げ部として機能して扉８の開動作を許容する。
【００２４】
図２及び図３に戻り、扉８は、本体部８１及び被規制部８２を有して、全体が左右に長尺の略矩形平板状に形成される。扉８は、第二筐体３の開口部３１に回動可能に支持される回動軸８３（第二軸線Ｂ）を有する。本体部８１及び被規制部８２は、第二軸線Ｂに対して軸対称位置に形成される。扉８の一方の長辺縁８ａは突湾曲状に形成され、扉８の他方の長辺縁８ａは直線状に形成される。回動軸８３は、第二筐体３の軸受け３４に収容されるとともに、第一筐体２内から立設するリブ２７により後方への移動が規制されることで、回動可能に支持される。
【００２５】
図５（ａ）及び図５（ｂ）は、それぞれトレイ７の第一載置部７１側の斜視図及び第二載置部７２側の斜視図である。トレイ７は、長矩形状の底板７３と、底板７３の外周縁から底板７３を囲うように立設する長矩形状の枠部７１１，７２１とを有する。第一載置部７１及び第二載置部７２は、底板７３と、枠部７１１,７２１を含み、略同じ形状に形成される。また、第二載置部７２側の底板７３の略中央からは略円柱状の係合突起７３１が形成される。第一載置部７１側の底板７３には、調理前（変化前）の第一形象体Ｆｄ１が配置される。第二載置部７２側の底板７３には、調理後（変化後）の第二形象体Ｆｄ２が係合突起７３１に係合されて予め固定される。なお、第二形象体Ｆｄ２は、係合を解除して取り外しできる。このため、遊戯者は、所望の形状等をした第二形象体Ｆｄ２を選択して、第二載置部７２側に固定できる。
【００２６】
第一形象体Ｆｄ１としては焼く前のパンを模して形成することができ、第二形象体Ｆｄ２としては焼いた後のパンを模して形成することができる。例えば、第一形象体Ｆｄ１は焼き色が付く前の明るいパン生地の色（クリーム色など）とするとともに無模様とし、第二形象体Ｆｄ２は焼き色が付いた後の暗い色（茶色など）とするとともに模様を施してもよい。第一形象体Ｆｄ１は、第二形象体Ｆｄ２に対して略相似形状で小さく形成することができる。
【００２７】
トレイ７は、底板７３の短辺側における枠部７１１,７２１の基端部から立設する被支持部７５を有する。被支持部７５は、底板７３と略同一平面状となるようにトレイ７の短尺方向に亘って形成される。
【００２８】
次に加熱調理玩具１の動作について説明する。図６及び図７に示すトレイ支持体６は、トレイ支持体６が反時計回り方向の回動端に位置する第一角度姿勢の状態を示している。この第一角度姿勢では、トレイ支持体６の支持部６３が第二軸線Ｂ（図２等参照）と略平行な左右方向に配置されている。
【００２９】
第一角度姿勢では、扉８の第二軸線Ｂの後方側に、空間Ｓが第二軸線Ｂと略平行な左右方向に位置している。従って、図７の実線で示す扉８を開方向へ移動させると、被規制部８２の軌道が空間Ｓを通り、扉８の回動が許容される。扉８を開方向へ移動させると、扉８の本体部８１は、自重で開方向側へ回動するが、被規制部８２と開状態支持部６３１ｃとの当接により開角度が規制される。そして、扉８は、二点鎖線で示すように開口部３１に対して略９０度開いた開状態に支持される。
【００３０】
扉８が略９０度開いた状態では、扉８の内面８ｃは、奥側支持部６４の内面６４ａ及び揺動規制突起６３１の下面と略同一平面状に位置する。また、トレイ７の被支持部７５から、トレイ７の第一載置部７１又は第二載置部７２の端部までの長さと、トレイ支持体６の溝部６３２の内壁６３２ａから、開状態支持部６３１ｃまでの長さとは略同じに形成される（図６参照）。そのため、開いた扉８の内面８ｃに沿って開口部３１の内側へトレイ７を押すことで、加熱調理玩具１内にトレイ７を容易に収容させることができる。
【００３１】
そして、トレイ７が枠部６２内に収容されているとき、トレイ７の被支持部７５は、溝部６３２内の下方側の内壁６３２ａに当接し、図７に示すように、トレイ７の一方面側の枠部７２１の奥側の端縁７２１ａ（トレイ７が逆向きの場合は枠部７１１の端縁７１１ａ）は、トレイ支持体６の下方側の奥側支持部６４に当接する。これにより、トレイ７が安定支持される。また、図７の実線で示すように扉８を閉めると、トレイ７の前方への移動は、トレイ７の側面７ａが扉８の内面８ｃに当接することによって規制される。
【００３２】
上述のようにして、遊戯者は、扉８を開いて、第一形象体Ｆｄ１が載置された第一載置部７１を上方に向けて開口部３１から加熱調理玩具１（トレイ支持体６）内にトレイ７を収容し、扉８を閉める。
【００３３】
第一角度姿勢において、トレイ支持体６の反時計回り方向の回動は、突起部６１２が回動規制部２６２と当接することにより規制される。また、第一角度姿勢のとき、回動規制部材２５の突起部２５１は、切欠部２１１を介してトレイ支持体６の一方の窪み部６１３ａに係合する。そのため、トレイ支持体６の時計回り方向の自由回転は、回動規制部材２５の弾発力により規制される。
【００３４】
図６の第一角度姿勢のときに、操作部４を時計回りに回動させると、駆動歯車５１１は時計回り方向に回動し、駆動歯車５１１と歯合する中間歯車５２は反時計回りに回動する。また、中間歯車５２と歯合する従動歯車６１１は時計回り方向に回動する。そのため、トレイ支持体６は、第一軸線Ａの軸周りに操作部４と同じ方向に回動することができる。
【００３５】
トレイ支持体６の回動が開始すると、図８（ａ）に示すように、回動規制部材２５の弾発力に抗して突起部５４１が窪み部６１３ａから脱出して、トレイ支持体６は回動する。トレイ支持体６の回動中、窪み部６１３ａを脱した突起部５４１は、縁部６１３に対して摺接する。支持部６３に収容されたトレイ７は、トレイ支持体６の回動とともに傾斜する。
【００３６】
トレイ支持体６は、第一角度姿勢と、該第一角度姿勢から反転した第二角度姿勢との間の中間角度範囲において、被規制部８２に近接することにより扉８の開動作を規制して、扉８を閉状態に支持することができる。すなわち、トレイ支持体６の姿勢がその中間角度範囲であるとき、図７の断面視において、被規制部８２の後方に、トレイ支持体６の一部である枠部６２の前縁６２１（図６も参照）が位置する。従って、被規制部８２の回動軌道上にトレイ支持体６の一部が位置することになるので、扉８の回動が規制される。
【００３７】
図８（ｂ）に示すように、トレイ支持体６の時計回り方向の回動は、突起部６１２が回動規制部２６１と当接して規制される。トレイ支持体６が時計回り方向の回動端に位置する第二角度姿勢のとき、トレイ支持体６の対向する第一支持部６３ａ及び第二支持部６３ｂは、扉８の回動軸８３と略平行な左右方向に配置される。また、第二角度姿勢のとき、回動規制部材２５の突起部２５１は、切欠部２１１を介してトレイ支持体６の他方の窪み部６１３ａに係合する。そのため、トレイ支持体６の反時計回り方向の自由回転は、回動規制部材２５の弾発力により規制される。第二角度姿勢では、第一角度姿勢と同様に、被規制部８２の後方に再び空間Ｓが位置する。これにより、扉８の開方向への回動は許容される。そして、遊戯者は、扉８を開けることにより開口部３１内に配置されたトレイ７を手前にスライドさせて容易に取り出すことができるとともに、トレイ７の第二載置部７２側に配置された第二形象体Ｆｄ２を視認することができる。従って、遊戯者に、トレイ７上の第一形象体Ｆｄ１が恰も第二形象体Ｆｄ２に変化して調理を終えたように認識させることができる。
【００３８】
第一形象体Ｆｄ１が第一載置部７１に対して固定されていない場合は、トレイ７が反転したことによって、第一形象体Ｆｄ１は加熱調理玩具１内の下枠部３３の上に落下する。落下した第一形象体Ｆｄ１は、トレイ７を先に取り出すことにより、加熱調理玩具１を傾ける等して開口部３１から取り出すことができる。
【００３９】
再び加熱調理玩具１を用いて遊ぶ場合は、遊戯者は、取り出した第一形象体Ｆｄ１をトレイ７の第一載置部７１の上に載置させ、第一載置部７１を上方に向けたままトレイ７をトレイ支持体６に収容し、扉８を閉める。そして、トレイ支持体６の姿勢が図８（ｂ）に示した正面視時計回り方向の回動端（第二角度姿勢）である場合、遊戯者は、操作部４を反時計回り方向へ回動操作して、トレイ７をトレイ支持体６とともに反時計回り方向へ回動させることができる。従って、トレイ７に載置された第一形象体Ｆｄ１は、第一載置部７１が下方側に反転することにより下枠部３３上に落下し、第二形象体Ｆｄ２が固定された第二載置部７２を上方に位置させることができる。これにより、遊戯者は、トレイ７上の第一形象体Ｆｄ１を第二形象体Ｆｄ２に変化させる遊びを繰り返して行うことができる。
【００４０】
なお、第二形象体Ｆｄ２と同様に、第一形象体Ｆｄ１は、トレイ７の第一載置部７１に予め固定される構成としてもよい。これにより、トレイ７を反転させる毎に第一形象体Ｆｄ１をトレイ７とは別に取り出す等の作業を省略することができる。
【００４１】
また、本実施形態の説明では、トレイ支持体６が反時計回り方向の回動端のときにトレイ７の第一載置部７１が上方を向くように配置させたが、トレイ支持体６が時計回り方向の回動端のときにトレイ７の第一載置部７１を上方へ向けて、トレイ支持体６を反時計回り方向へ回動させることでトレイ７を反転させてもよい。
【００４２】
以上のような本発明の実施形態によれば、下記の態様の模型玩具及び加熱調理玩具１を提供することができる。
【００４３】
第１の態様に係る模型玩具は、第一載置部と該第一載置部の反対側に第二載置部とを設けたトレイの被支持部を支持するトレイ支持体と、前記トレイ支持体を第一軸線周りに回動自在に支持するとともに、該第一軸線方向側に開口部を形成した筐体と、前記筐体に対して第二軸線周りに回動自在に支持されて、前記開口部に設けられた扉と、前記トレイ支持体の回動を操作する操作部と、を備え、前記扉は、前記第二軸線に対して対称位置に本体部及び被規制部を有し、前記トレイ支持体は、第一角度姿勢と、該第一角度姿勢から反転した第二角度姿勢との間の中間角度範囲において、前記被規制部に近接することにより前記扉の開動作を規制して、前記扉を閉状態に支持する。
【００４４】
この構成によれば、第一角度姿勢と第二角度姿勢との間の移動中は扉８が開かないため、遊戯者はトレイ７の反転動作を視認することがなく、操作部４の操作を終えたことによりトレイに配置した形象体の変化を楽しむことができる。従って、手軽に状態変化を楽しむことができる。
【００４５】
第２の態様に係る模型玩具は、前記トレイ支持体は、前記第一軸線方向に延設されるとともに、前記第一軸線に対して線対称位置に配置された第一支持部と第二支持部とを有し、前記第一支持部及び前記第二支持部は、前記被支持部を収容させる溝部を内側に有し、前記トレイの揺動を規制する揺動規制突起を前記溝部の両外側に有する。
【００４６】
この構成によれば、扉８を開けた開口部３１側から見てトレイ支持体６は第一角度姿勢及び第二角度姿勢のいずれにおいても略同じ形態に見えるため、遊戯者にトレイ支持体６が第一軸線を中心に回動したことを認識しにくくすることができる。従って、トレイ７に載置された形象体のみが変化したように見せることができる。
【００４７】
第３の態様に係る模型玩具は、前記第一支持部及び前記第二支持部は、前記溝部とは反対側の両外側に開状態支持部を有し、前記扉は、前記第一角度姿勢及び前記第二角度姿勢において、前記被規制部と前記開状態支持部との当接により開角度が規制されて、開状態に支持され、前記第一角度姿勢及び前記第二角度姿勢において、開状態の前記扉の前記開口部側の内面と、前記開状態支持部とは、同一平面状に形成され、前記被支持部から、前記トレイの前記第一載置部又は前記第二載置部側の端部までの長さと、前記溝部の内壁から、前記開状態支持部までの長さとが、同じである。
【００４８】
この構成によれば、扉８を所定の開角度で開状態に支持させることができるとともに、トレイ７を扉８の内面８ｃに載置させてトレイ支持体６側に摺動させるという簡単な操作でトレイ７をトレイ支持体６内に収容させることができる。
【００４９】
第４の態様に係る模型玩具は、前記トレイは、前記第一載置部及び前記第二載置部に、底板と、前記底板を囲う枠部とを備え、前記第一載置部側の前記底板には変化前の第一形象体を配置可能であり、前記第二載置部側の前記底板には変化後の第二形象体が固定される。
【００５０】
この構成によれば、変化後の第二形象体Ｆｄ２をトレイ７に予め固定しておくため、変化前の第一形象体Ｆｄ１から第二形象体Ｆｄ２への変化を素早く変化させる様子を模擬することができる。
【００５１】
第５の態様に係る模型玩具は、第一載置部と該第一載置部の反対側に第二載置部とを設けたトレイの被支持部を支持するトレイ支持体と、前記トレイ支持体を第一軸線周りに回動自在に支持するとともに、該第一軸線方向側に開口部を形成した筐体と、前記筐体に対して第二軸線周りに回動自在に支持されて前記開口部に設けられた扉と、前記トレイ支持体の回動を操作する操作部と、を備え、前記扉は、前記第二軸線に対して対称位置に本体部及び被規制部を有し、前記トレイ支持体は、第一角度姿勢と、該第一角度姿勢から反転した第二角度姿勢との間の中間角度範囲において、前記被規制部に近接することにより前記扉の開動作を規制して、前記扉を閉状態に支持し、前記第一載置部側には調理前の第一形象体が配置され、前記第二載置部側には調理後の第二形象体が配置される。
【００５２】
この構成によれば、第一角度姿勢と第二角度姿勢との間の移動中は扉８が開かないため、遊戯者はトレイ７の反転動作を視認することがなく、操作部４の操作を終えたことによりトレイ７に配置した形象体（第一形象体）の調理による変化を楽しむことができる。従って、手軽に状態変化を楽しむことができる。
【００５３】
以上、本発明の実施形態を説明したが、本発明は本実施形態によって限定されることは無く、種々の変更を加えて実施することができる。
【００５４】
例えば、トレイ支持体６の枠部６２は、筒状とせずに、空間Ｓ側の長尺側面部６２ａを切り欠いた形状としてもよい。この場合、変化前の第一形象体Ｆｄ１がトレイ７に固定されていない場合は、トレイ支持体６の回動により第一形象体Ｆｄ１が下方に落下するため、例えば、下枠部３３を省略する構成とし、落下した第一形象体Ｆｄ１を加熱調理玩具１内に設けた受け皿により受けるように構成してもよい。受け皿は、例えば、第二筐体３の下方に引き出しとして挿抜可能に設けることで容易に第一形象体Ｆｄ１を回収することができる。
【００５５】
また、第一形象体Ｆｄ１と第二形象体Ｆｄ２は、食品以外の他の形象体としてもよく、加熱調理玩具１を形象体の変化を楽しむ他の模型玩具としてもよい。
【符号の説明】
【００５６】
１        加熱調理玩具                  ２        第一筐体
３        第二筐体                      ４        操作部
５        伝達機構                      ６        トレイ支持体
７        トレイ                        ７ａ      側面
８        扉                            ８ａ      長辺縁
８ｃ      内面                          ２１      枠部
２２      枠部                          ２３      枠部
２４      枠部                          ２５      回動規制部材
２７      リブ                          ３１      開口部
３２      上枠部                        ３３      下枠部
３４      軸受け                        ３５      収容部
５１      駆動軸                        ５２      中間歯車
６１      円板部                        ６２      枠部
６２ａ    長尺側面部                    ６２ｂ    短尺側面部
６３      支持部                        ６３ａ    第一支持部
６３ｂ    第二支持部                    ６４      奥側支持部
６４ａ    内面                          ７１      第一載置部
７２      第二載置部                    ７３      底板
７５      被支持部                      ８１      本体部
８２      被規制部                      ８３      回動軸
２１１    切欠部                        ２４１    軸部
２４２    回動規制部                    ２５１    突起部
２６１    回動規制部                    ２６２    回動規制部
５１１    駆動歯車                      ６１１    従動歯車
６１２    突起部                        ６１３    縁部
６１３ａ  窪み部                        ６２１    前縁
６３１    揺動規制突起                  ６３１ａ  頂部
６３１ｂ  傾斜部                        ６３１ｃ  開状態支持部
６３２    溝部                          ６３２ａ  内壁
７１１    枠部                          ７１１ａ  端縁
７２１    枠部                          ７２１ａ  端縁
７３１    係合突起
Ａ        第一軸線                      Ｂ        第二軸線
Ｆｄ１    第一形象体                    Ｆｄ２    第二形象体
Ｓ        空間
【図１】
2020198911.tif 000003
【図２】
2020198911.tif 000004
【図３】
2020198911.tif 000005
【図４】
2020198911.tif 000006
【図５】
2020198911.tif 000007
【図６】
2020198911.tif 000008
【図７】
2020198911.tif 000009
【図８】
2020198911.tif 000010